(57)【要約】      （修正有）【課題】屋外でのカードリーダの故障を抑制するカードリーダ収納ケース及びこれを用いるカードリーダ装置を提供する。【解決手段】カードリーダーを収納するカードリーダ収納ケースにおいて、カードの挿入及び引抜きを制御するフラップ部位のカード挿入口は，右側の下部に広く開いた領域である磁気ストライプ回避領域１１１８１を有する。また、カード挿入口は、左側の上部に広く開いた領域であるエンボス回避領域１１１８２を有する。すなわち、カード挿入口は、左右に回避領域を有し、段差を有する形状となっており、ＩＣカードが左側表面にエンボス部分を有するため，上部にエンボス回避領域１１１８２を設け、上部に広く開くことでエンボス部の摩耗を防止する。また，ＩＣカードが右側裏面に磁気ストライプを有するため，下部に磁気ストライプ回避領域１１１８１を設け，下部に広く開くことで磁気ストライプの摩耗を防止する。【選択図】図７
2020160542.tif 000002
【特許請求の範囲】
【請求項１】
カードリーダを収納するカードリーダ収納ケースであって、
ケーストレイ部位と、前記ケーストレイ部位の上部に接続し、前記カードリーダに覆い被せるケースカバー部位と、前記カードリーダで読み出し対象のカードの挿入及び引抜を制御するフラップ部位と、を有し、
前記フラップ部位は、
前記カードを挿入する挿入口と、
前記挿入口の内側に設置され、前記挿入口から挿入された前記カードを、前記カードリーダのカード挿入口に誘導する複数のフラップ用リブと、
前記挿入口の内側に設置され、前記カードが挿入されていないとき、前記挿入口を塞ぐ閉口状態とし、前記カードが挿入されているとき、前記カードによって跳ね上げられた開口状態とするフラップ片を有し、
前記挿入口は、前記カードの挿入及び引抜時において、
前記カードの表面に設けられた第１部位が、前記挿入口が接触しないように上方に開口された第１回避領域と、
前記カードの裏面に設けられた第２部位が、前記挿入口に接触しないように下方に開口された第２回避領域と、を有する
カードリーダ収納ケース。
【請求項２】
前記第１部位は、エンボス加工で印字された上方に突出した文字を含み、
前記第２部位は、磁気ストライプを含む
請求項１記載のカードリーダ収納ケース。
【請求項３】
前記フラップ片は、略両端に、前記カードの挿入及び引抜時に前記カードと圧接触する突起部分である第３回避突起を有する
請求項１記載のカードリーダ収納ケース。
【請求項４】
前記フラップ片は、下部に第４突起を有し、
前記挿入口と前記第４突起により形成される第５溝を有し、
前記フラップ片が前記閉口状態のとき、前記第５溝を通して前記第５溝に付着した付着物を排出する
請求項１記載のカードリーダ収納ケース。
【請求項５】
前記フラップ用リブは、前記フラップ用リブに付着した水分を下部に落下させる傾斜を有する略台形である
請求項１記載のカードリーダ収納ケース。
【請求項６】
前記フラップ片は、前記第１部位が前記フラップ片に接触しないように前面に第６溝を有する
請求項１記載のカードリーダ収納ケース。
【請求項７】
前記複数のフラップ用リブは、それぞれ所定距離以上の間隔を空けて設置され、
前記所定距離は、水の表面張力に基づいて決定される
請求項１記載のカードリーダ収納ケース。
【請求項８】
前記ケースカバー部位は、前記カードリーダの発する光を、前記カードリーダ収納ケースの外部に放出する導光窓と、
前記導光窓まで前記光を導光する導光板と、
前記カードリーダから前記導光板まで直接到達しない未到達光の一部又は全部を、前記導光板に反射させる反射板を有する
請求項１記載のカードリーダ収納ケース。
【請求項９】
カードリーダと、前記カードリーダを収納するカードリーダ収納ケースで構成されるカードリーダ装置であって、
前記カードリーダ収納ケースは、ケーストレイ部位と、前記ケーストレイ部位の上部に接続し、前記カードリーダに覆い被せるケースカバー部位と、前記カードリーダで読み出し対象のカードの挿入及び引抜を制御するフラップ部位と、を有し、
前記フラップ部位は、
前記カードを挿入する挿入口と、
前記挿入口の内側に設置され、前記挿入口から挿入された前記カードを、前記カードリーダのカード挿入口に誘導する複数のフラップ用リブと、
前記挿入口の内側に設置され、前記カードが挿入されていないとき、前記挿入口を塞ぐ閉口状態とし、前記カードが挿入されているとき、前記カードによって跳ね上げられた開口状態とするフラップ片を有し、
前記挿入口は、前記カードの挿入及び引抜時において、
前記カードの表面に設けられた第１部位が、前記挿入口が接触しないように上方に開口された第１回避領域と、
前記カードの裏面に設けられた第２部位が、前記挿入口に接触しないように下方に開口された第２回避領域と、を有する
カードリーダ装置。
【発明の詳細な説明】
【技術分野】
【０００１】
本発明は、カードリーダ収納ケース及びこれを用いるカードリーダ装置に関する。
【背景技術】
【０００２】
店舗では、例えば、顧客からの料金の支払い、会員情報の読み出し、ポイント付与などを行うとき、IC（integrated circuit）カードを用いて情報を読み書きする場合がある。ICカードは、情報やデータを記憶するIC（集積回路）が組み込まれたカードである。
【０００３】
ICカードの表面は、カード番号、所有者の氏名や識別情報、及び有効期限などが、文字を浮き彫りに加工するエンボス加工で印刷される場合がある。
【０００４】
また、ICカードの表面又は裏面は、磁気ストライプが帯状に設置される場合がある。磁気ストライプは、磁性体で構成され、磁性を変化させることで、データを書き換えることができる。
【０００５】
ICカードリーダに関する発明は、以下の特許文献に記載されている。あるカードリーダは、例えば、通常時は閉塞しているカード挿入口を、カード挿入時に開口させるようにしている。また、あるカードリーダは、カードを挿入するための挿入口と、挿入口を開閉する可動蓋を有し、可動蓋を挿入方向に対してほぼ直角方向にスライドする構成としている。
【先行技術文献】
【特許文献】
【０００６】
【特許文献１】特開平２−２５９９３号公報
【特許文献２】特開２００５−３３１５５８号公報
【発明の概要】
【発明が解決しようとする課題】
【０００７】
しかし、ICカードリーダは、一般に、屋内での使用を前提としたものが多い。そのため、防水や防塵機能が乏しいものが多い。
【０００８】
ICカードリーダは、例えば、暗証番号の入力などで使用するテンキーを有し、そのテンキーがボタンで構成される場合、ボタンと本体の隙間から水や埃が入ってしまうと、故障の原因となる。また、例えば、ICカードリーダのカード挿入口から水や埃が入ってしまうと、やはり故障の原因となる。
【０００９】
このようなICカードリーダの故障を防ぐため、屋外での使用を前提とした屋外用のICカードリーダも存在する。しかし、屋外用のICカードリーダは、例えば、一般的な屋内用のICカードリーダより高コストである場合がある。また、特に屋外用のICカードリーダを別途購入するよりも、既に購入済みである屋内用ICカードリーダを所有する場合、所有するICカードリーダを屋外用に流用することが好ましい。
【００１０】
そこで、一開示は、屋外でのカードリーダの故障を抑制するカードリーダ収納ケース及びこれを用いるカードリーダ装置を提供することにある。
【課題を解決するための手段】
【００１１】
一開示は、カードリーダを収納するカードリーダ収納ケースであって、ケーストレイ部位と、前記ケーストレイ部位の上部に接続し、前記カードリーダに覆い被せるケースカバー部位と、前記カードリーダで読み出し対象のカードの挿入及び引抜を制御するフラップ部位と、を有し、前記フラップ部位は、前記カードを挿入する挿入口と、前記挿入口の内側に設置され、前記挿入口から挿入された前記カードを、前記カードリーダのカード挿入口に誘導する複数のフラップ用リブと、前記挿入口の内側に設置され、前記カードが挿入されていないとき、前記挿入口を塞ぐ閉口状態とし、前記カードが挿入されているとき、前記カードによって跳ね上げられた開口状態とするフラップ片を有し、前記挿入口は、前記カードの挿入及び引抜時において、前記カードの表面に設けられた第１部位が、前記挿入口が接触しないように上方に開口された第１回避領域と、前記カードの裏面に設けられた第２部位が、前記挿入口に接触しないように下方に開口された第２回避領域と、を有する。
【発明の効果】
【００１２】
一開示は、屋外でのICカードリーダの故障を抑制することができる。
【図面の簡単な説明】
【００１３】
【図１】図１は、ICカードリーダ収納ケース１の例を示す図である。
【図２】図２は、ケースカバー部位１０の例を示す図である。
【図３】図３は、ケーストレイ部位２０の例を示す図である。
【図４】図４は、ケーストレイ部位２０にICカードリーダ３０が収納された例を示す図である。
【図５】図５は、ICカード４０の例を示す図である。
【図６】図６は、フラップ部位１１の分解図である。
【図７】図７は、フラップ部位１１を右前方から見た斜視図の例を示す図である。
【図８】図８は、図７における領域Ａ１を拡大した例を示す図である。
【図９】図９は、フラップ片１１３を右前方から見た斜視図である。
【図１０】図１０は、ICカードリーダ収納ケース１にICカードを挿入している例を示す図である。
【図１１】図１１は、フラップ部位１１を後方から見た正面図、及びフラップ部位１１を右から見た断面図の例を示す図である。
【図１２】図１２は、導光機能の例を示す図である。
【発明を実施するための形態】
【００１４】
以下、本発明を実施するための形態について説明する。
【００１５】
＜ICカードリーダ収納ケース１の例＞
図１は、本発明に従う、ICカードリーダ収納ケース１の例を示す図である。図１のICカードリーダ収納ケース１内に、図示されないICカードリーダが収納されて、ICカードリーダ装置が構成される。以下、ICカードリーダを単にカードリーダと呼ぶ場合がある。
【００１６】
また、図１において、ICカードリーダ収納ケース１の上下左右前後方向を図示する。なお、以降、上下方向を高さ、左右方向を横、前後方向を縦と表現する場合がある。
【００１７】
ICカードリーダ収納ケース１は、中にICカードリーダが収納された状態で、常時屋外に設置される。ICカードリーダ収納ケース１は、例えば、ガソリンスタンドなどの屋外で決済等を行う作業場に設置される。
【００１８】
ICカードリーダ収納ケース１は、収納するICカードリーダの大きさに応じた大きさとなる。しかし、ICカードリーダ収納ケース１は、例えばガソリンスタンドなどで使用される場合、決められたスペースに収まる必要がある。そのため、本実施の形態において、ICカードリーダ収納ケースの大きさは、例えば、横が１１２ｍｍ、縦が２１１ｍｍ、高さが９６ｍｍ以下であるものとする。また、ICカードリーダ収納ケース１の材質は、例えば、PC＋ABS樹脂である。
【００１９】
ICカードリーダ収納ケース１は、ケースカバー部位１０と、ケーストレイ部位２０とで構成される。ICカードリーダ収納ケース１は、上部のケースカバー部位１０と、下部のケーストレイ部位２０が分離する構造であり、ケーストレイ部位２０にICカードリーダを載置し、その上部にケースカバー部位１０を覆い被せるように接続することで、ICカードリーダを収納する。ケースカバー部位１０は、フラップ部位１１や液晶表示確認用窓１２などを有する。
【００２０】
＜ケースカバー部位１０の例＞
図２は、ケースカバー部位１０の例を示す図である。ケースカバー部位１０は、フラップ部位１１、液晶表示確認用窓１２、ケースカバーベース１３で構成される。
【００２１】
ケースカバーベース１３は、ケースカバー部位１０のベースとなる部位であり、フラップ部位１１及び液晶表示確認用窓１２が接続されている。
【００２２】
フラップ部位１１は、ICカードの挿入口である。フラップ部位１１は、ケースカバーベース１３にねじ止めされ、ケースカバー部位１０に接続される。フラップ部位１１の詳細については、後述する。
【００２３】
液晶表示確認用窓１２は、ICカードリーダ収納ケース１内に収納されるICカードリーダが有する液晶を確認するための窓であり、透明又は半透明の材質で構成される。液晶表示確認用窓１２の材質は、例えば、ポリカーボネートである。液晶表示確認用窓１２は、例えば、両面テープや接着剤でケースカバーベース１３の開口部に接続される。なお、ケースカバーベース１３の開口部は、ユーザが液晶部の全体をICカードリーダ収納ケース１の上部から見ることが可能な大きさとし、収納されるICカードリーダの液晶部のおおよそ垂直（略垂直）上部に位置する。
【００２４】
＜ケーストレイ部位２０の例＞
図３は、ケーストレイ部位２０の例を示す図である。ケーストレイ部位２０は、ケーストレイベース２１及びヒーター部位２２で構成される。
【００２５】
ケーストレイベース２１は、ケーストレイ部位２０のベースであり、内側の側面に強度を補強する複数のトレイ用リブを有する。また、ケーストレイベース２１は、排水室２１２、ケースカバー接続穴２１１、及びケーブル穴２１３を有する。
【００２６】
ケースカバー接続穴２１１は、例えば、ケーストレイ部位２０の前後に存在する穴であり、ケースカバー部位１０の有する突起物が挿入されることで、ケーストレイ部位２０にケースカバー部位１０を位置づけ、固定する。また、ケースカバー接続穴２１１は、ねじなどの接続部品を介して、ケースカバー部位１０を固定してもよい。
【００２７】
排水室２１２は、ケースカバー部位１０のフラップ部位１１から入ってきた水を貯める、あるいは廃棄するための溝である。排水室２１２を設けることで、ICカードリーダ収納ケース１内の他の部品（例えば、ICカードリーダ本体、ヒーター部位２２など）に水が入ることを防止する。排水室２１２は、例えば、底面に水を排水するための穴を有してもよい。
【００２８】
ヒーター部位２２は、ICカードリーダを温めるための部位である。ICカードリーダは、上述したように、屋内での使用が想定されているものが多いため、例えば、寒冷地の屋外の温度において、正常に使用できない場合がある。そこで、ヒーター部位２２を設け、ICカードリーダを適宜温めることにより、ICカードリーダを所定温度以上に保つことで、正常な使用を維持することができる。ヒーター部位２２は、例えば、面上のヒーター及びサーモスタット（図示しない）で構成される。
【００２９】
ヒーターは、例えば、ヒーター部位２２の上部に設置される。ヒーターは、サーモスタットと連動し、所定温度以下になったときに稼働し、ヒーター部位２２上部のヒーターの上に設置されるヒートシンクを介して、さらにその上に設置されているICカードリーダを下部から温める装置である。
【００３０】
サーモスタットは、所定温度以下になったときにヒーターを起動し、所定温度以上になったときにヒーターを停止する装置であり、例えば、ヒーターの下部に断熱板を挟んで設置される。ヒーターとサーモスタットの間に断熱板を設置することで、ヒーターの熱が直接サーモスタットに伝わることを防ぎ、ICカードリーダ収納ケース１内部のICカードリーダ周囲の温度を測定可能としている。
【００３１】
ケーブル穴２１３は、ケーストレイ部位２０に収納されたICカードリーダに接続するケーブルを通す穴である。ケーブル穴２１３は、ICカードリーダ収納ケース１の後に設置されることで、ICカードリーダ収納ケース１の前面からケーブルを見えなくすることによる良好な外観を確保する。また、ケーブル穴２１３は、ICカードリーダ収納ケース１の後に設置されることで、前面よりもユーザが接触する回数が少ないため、接触されることによるケーブルの損傷や摩耗を減少させる。
【００３２】
ヒーター用ケーブル穴２１４は、ヒーターに電源を供給する電源ケーブルなどを通すための穴である。ヒーター用ケーブル穴２１４は、防水性能を有するグロメットが開口部に取り付けられる。
【００３３】
図４は、ケーストレイ部位２０にICカードリーダ３０が収納された例を示す図である。ICカードリーダ３０は、例えば、テンキー３０１、表示部３０２、カード挿入口３０３、及びケーブル３０４で構成される。
【００３４】
テンキー３０１は、暗証番号やデータの入力に使用するボタンの集合である。テンキー３０１は、０〜９までの数字ボタンのほかに、確定ボタン、取消ボタン、訂正ボタンなどがある。また、テンキー３０１は、ファンクションキーなどを有してもよい。
【００３５】
表示部３０２は、例えば、液晶パネルで構成され、カードから読み出した情報、エラー情報、残高情報などを表示する。表示部３０２に情報が表示されるタイミングは、例えば、ICカードを差し込み、正常に読み込むことができたときや、異常が発生したときである。
【００３６】
カード挿入口３０３は、ICカードを挿入し、取り出す口である。ユーザは、ケースカバー部位１０のフラップ部位１１を介して、カード挿入口３０３にICカードを挿入することで、ICカードが記憶する情報を読み出すことができる。
【００３７】
ケーブル３０４は、例えば、ICカードリーダに電源を供給する電源ケーブル、他の通信装置とデータの送受信を行うデータケーブル、もしくは、電源ケーブルとデータケーブルの供用ケーブルである。ケーブル３０４は、必要に応じてICカードリーダに取り付けられ、ケーストレイ部位２０のケーブル穴２１３から、ICカードリーダ収納ケース１の外部に出される。
【００３８】
なお、図４における状態において、上部にケースカバー部位１０を被せて接続することで、ICカードリーダ３０を収納すると、ユーザはテンキー３０１を操作することができない状態となる。これは、屋外でのICカードリーダ３０の使用においては、テンキー３０１の使用は限定的であると想定するためである。なお、屋外でテンキー３０１の操作が必要となる場合、ケースカバー部位１０を外すことで、テンキー３０１の操作が可能となる。
【００３９】
＜ICカード４０の例＞
図５は、ICカード４０の例を示す図である。ICカードは、ICカードリーダ３０でデータを読み出す（又は書き込む）対象のカードであって、例えば国内及び国際標準規格により、印字（エンボス）の位置や範囲、磁気ストライプの幅や長さや位置、ICチップの位置や範囲などが決められている。図５に示すICカードはあくまで一例であり、ICカードの印字、磁気ストライプ、ICチップなどの位置や大きさに応じて、後述するフラップ部位１１の形状等を変更することで、ICカードリーダ収納ケースは、様々な形状（規格）のICカードに対応することができる。
【００４０】
ICカード４０は、エンボス部４０１、ICチップ部４０２、磁気ストライプ部４０３で構成される。なお、磁気ストライプ部４０３は、ICカード４０の裏面に位置するものとする。
【００４１】
エンボス部４０１は、エンボス加工での印字を許容する範囲であり、エンボス加工された印字は、文字部分が上部に突出している。エンボス部４０１には、例えば、カード番号、所有者の氏名、及び有効期限などの重要な情報が印字されている場合がある。そのため、エンボス部４０１に印字されている情報が、摩耗や衝撃により消失してしまうことは、カードとしての機能の一部を消失することとなり、好ましくない。
【００４２】
ICチップ部４０２は、ICチップが埋め込まれている領域である。ICカードリーダ３０は、接触または非接触で、ICチップに記憶されている情報（データ）を読み出す。ICチップには、様々な情報やデータが記憶されている。そのため、ICチップが摩耗や衝撃により破損してしまうと、データの読み書きができなくなってしまい、カードとしての機能を果たすことができないため、好ましくない。
【００４３】
磁気ストライプ部４０３は、磁気ストライプが設置される領域である。ICカードリーダ３０は、例えば、磁気ストライプから記憶されている情報を読み出してもよい。磁気ストライプには、様々な情報やデータが記憶されている。そのため、磁気ストライプが摩耗や衝撃により破損してしまうと、データの読み書きができなくなってしまい、カードとしての機能を果たすことができないため、好ましくない。
【００４４】
すなわち、エンボス部４０１、ICチップ部４０２、及び磁気ストライプ部４０３は、ICカード４０を、ICカードリーダ収納ケース１のフラップ部位１１、及びICカードリーダ３０のカード挿入口３０３を通して、ICカードリーダ３０に挿入するときに、摩耗や衝撃が加わらないように防御すべき領域である。一方、エンボス部４０１、ICチップ部４０２、及び磁気ストライプ部４０３とはかい離したICカード４０の両端付近の領域である非防御領域４０４（図５における網掛け部分）は、ICカード４０挿入時に、多少の摩耗や衝撃が加わっても故障等の問題は発生しない領域である。
【００４５】
＜フラップ部位１１の例＞
図６は、フラップ部位１１の分解図である。図６は、フラップ部位１１を構成する各部品を、右後方から見た斜視図である。また、一点鎖線は接続関係を示す。フラップ部位１１は、ICカードの挿入及び引抜を制御する部位である。
【００４６】
フラップ部位１１は、フラップベース１１１、ガスケット１１２、フラップ片１１３、板バネ１１４、及びねじ１１５で構成される。フラップベース１１１、ガスケット１１２、及び板バネ１１４は、ねじ１１５で接続される。
【００４７】
フラップベース１１１は、導光板１１１２、フラップ部位止め用ねじ穴１１１３、フラップ用リブ１１１５、板バネ止め用ねじ穴１１１６、ケースカバーベース止め用突起１１１７、及びカード挿入口１１１８を有する。
【００４８】
導光板１１１２は、ICカードリーダ３０のインジケーター用LED（Light Emitting Diode）の光を反射させ、外部に誘導する板である。導光板１１１２の材質は、例えば、透明又は半透明のアクリル板である。導光板１１１２を用いてICカードリーダ３０のインジケーター用LEDの光を外部に誘導する導光機能については、後述する。
【００４９】
ケースカバーベース止め用突起１１１７は、フラップベース１１１をケースカバーベース１３に固定する際の位置決め用として設けられる。
【００５０】
フラップ部位止め用ねじ穴１１１３は、ねじ等の接続部品を介して、フラップ部位１１をケースカバー部位１０に接続するためのねじ穴である。フラップ部位止め用ねじ穴１１１３は、例えば、フラップベース１１１の左右両端付近に設けられる。
【００５１】
板バネ止め用ねじ穴１１１６は、ねじ等の接続部品を介して、板バネ１１４をフラップベース１１１に接続するためのねじ穴であり、ねじ１１５で接続される。板バネ止め用ねじ穴１１１６は、フラップベース１１１の左右両端付近や、板バネ１１４の左右両端付近に設けられる。
【００５２】
フラップベース１１１の内側のフラップ部位止め用ねじ穴１１１３の穴周囲の凸部は、ガスケット１１２をフラップベース１１１に接続するための突起である。フラップ部位止め用ねじ穴１１１３の穴周囲の凸部は、ガスケット１１２が有するガスケット止め用穴１１１９に挿入されることで、ガスケット１１２をフラップベース１１１に接続する。
【００５３】
カード挿入口１１１８は、ICカードが挿入される領域であり、カードが挿入されていない状態では、後述するフラップ片１１３で閉じられている。
【００５４】
図７は、フラップ部位１１を右前方から見た斜視図の例を示す図である。カード挿入口１１１８は、右側の下部に広く開いた領域である磁気ストライプ回避領域１１１８１を有する。また、カード挿入口１１１８は、左側の上部に広く開いた領域であるエンボス回避領域１１１８２を有する。すなわち、カード挿入口１１１８は、左右に回避領域を有し、段差を有する形状となっている。これは、例えば、ICカードが左側表面にエンボス部分を有するため、上部にエンボス回避領域１１１８２を設け、上部に広く開くことでエンボス部の摩耗を防止している。また、例えば、ICカードが右側裏面に磁気ストライプを有するため、下部に磁気ストライプ回避領域１１１８１を設け、下部に広く開くことで磁気ストライプの摩耗を防止している。
【００５５】
フラップベース１１１のカード挿入口１１１８は、埃が溜まった場合、カード挿入時にカードで埃を押し込んでしまう懸念がある。そこで、磁気ストライプ回避領域１１１８１は、ICカードのICチップ読取に障害が発生しないように、磁気ストライプの位置だけでなくICチップの位置まで段差を拡げて、ICチップの読取り部分に埃が侵入しないようにする。
【００５６】
また、フラップベース１１１は、上部に導光窓１１１１を有する。導光窓１１１１は、導光板１１１２を通して誘導されたICカードリーダ３０のインジケーター用LEDの光を外部に発する窓である。ユーザは、導光窓１１１１を確認し、ICカードリーダ３０のインジケーター用LEDが光っているか否で、ICカードリーダのアクティブ状態を確認することができる。
【００５７】
図６に戻り、フラップ用リブ１１１５は、フラップベース１１１の一部として下部に設置された板状の構造物である。フラップ用リブ１１１５は、例えば図６に示すように、それぞれが間隔を空けて、４つ設置される。フラップベース１１１は、例えば、上面がフラップ部位１１のICカードが挿入されるカード挿入口１１１８と略垂直に設置されることで、ICカードの挿入時に、なめらかにICカードリーダ３０までICカードを誘導することが可能となる。なお、なめらかにICカードをICカードリーダ３０のカード挿入口まで誘導するために、フラップ部位１１は、下部が前方（上部が後方）に傾けてケースカバー部位１０に設置される。また、フラップ用リブ１１１５は、排水機能も有するが、排水機能については後述する。
【００５８】
なお、図６におけるフラップ用リブ１１１５は、あくまで一例であって、フラップ用リブ１１１５の数は、例えば、ICカードをICカードリーダ３０のカード挿入口まで誘導することが可能なだけ存在すればよい。また、フラップ用リブ１１１５の数は、例えば、後述する排水機能を満たす数だけ存在すればよい。
【００５９】
ガスケット１１２は、フラップ部位１１に気密性や液密性を持たせるため使用されるシール材である。ガスケット１１２は、ケースカバーベース止め用突起穴１１２１及びガスケット止め用穴１１１９を有する。ケースカバーベース止め用突起穴１１２１は、ケースカバーベース止め用突起１１１７を挿通するものであり、ガスケット止め用穴１１１９は、フラップ部位止め用ねじ穴１１１３の穴周囲の凸部を挿通するためのものである。なお、ガスケット１１２は、両面テープなどにより、フラップベース１１１に固着することができる。
【００６０】
フラップ片１１３は、フラップ部位１１のカード挿入口から水や埃が入らないようにするための部品である。フラップ片１１３は、フラップベース１１１に接続され、ICカード挿入時にはICカードに押されることで回転し、ICカードが入るスペースが確保される。また、フラップ片１１３は、ICカードが抜きだされたときには、ICカードに押される力がなくなり、カード挿入口１１１８を閉じる。フラップ片１１３の詳細については、後述する。
【００６１】
板バネ１１４は、フラップ片１１３を押さえるための板バネである。板バネ１１４は、板バネ止め用ねじ穴１１１６を両端に有し、フラップベース１１１が有する板バネ止め用ねじ穴１１１６にねじ１１５を介して接続される。板バネ１１４は、フラップ片１１３をフラップベース１１１の方向に押さえる。
【００６２】
板バネ１１４に押さえられたフラップ片１１３は、カード未挿入時は、カード挿入口１１１８を閉じた閉口状態である。一方、板バネ１１４に押さえられたフラップ片１１３は、カード挿入時は、フラップ片１１３の下部がカードに押し込まれ、内側に跳ね上がった開口状態である。フラップ片１１３は、板バネ１１４によって、カード又はフラップベース１１１に圧力をかけながら接触（圧接触）している。
【００６３】
＜フラップ片１１３の例＞
図９は、フラップ片１１３を右前方から見た斜視図である。なお、図９のフラップ片１１３は、カード挿入口１１１８を閉じた閉口状態の例を示す図である。
【００６４】
フラップ片１１３は、エンボス回避溝１１３１、排水突起１１３２、エンボス回避突起１１３３、及び回転軸１１３４で構成される。
【００６５】
フラップ片１１３は、回転軸１１３４の突起部分がフラップベース１１１に、回転可能な状態で接続される。フラップ片１１３は、回転軸１１３４を中心に回転する。フラップ片１１３は、カードが挿入されるとき、下部にカードが入ってくることで、前方から後方に押し上げられる。
【００６６】
エンボス回避溝１１３１は、フラップ片１１３の上部に、複数設けられる。エンボス回避溝１１３１は、カードを挿入又は引き抜くときに、エンボス部がフラップ片１１３の表面に直接あたることで、摩耗したり破損したりすることを回避するための溝である。エンボス回避溝１１３１の下をカードが通過するとき、カードのエンボス部は、フラップ片１１３と接触しない、あるいは、接触してもフラップ片１１３からかかる圧力が少ない。これにより、カードのエンボス部が直接フラップ片１１３と接することが少なくなり、あるいはかかる圧力が少なくなり、エンボス部の摩耗及び破損を回避することができる。さらに、エンボス回避溝１１３１を設けることで、樹脂成型時に部材の肉厚の均一性を高めることができる。
【００６７】
排水突起１１３２は、フラップベース１１１のカード挿入口１１１８付近にたまっている水や埃を、排出する（掻き出す）ための突起である。排水機能については、後述する。
【００６８】
エンボス回避突起１１３３は、フラップ片１１３の左右両辺（おおよそ両端：略両端）の下部に設けられる。エンボス回避突起１１３３は、カードの挿入又引抜時に、エンボス部がフラップ片１１３の表面に直接あたり、摩耗したり破損したりすることを回避するための突起である。エンボス回避突起１１３３は、カードの左右に存在する非防御領域４０４（図５参照）にあたる位置に設けられる。
【００６９】
図１０は、ICカードリーダ収納ケース１にICカードを挿入している例を示す図である。図１０に示すように、カードを挿入又は引き抜くときに、エンボス回避突起１１３３により、エンボス部やICチップ、磁気ストライプが、フラップ片１１３に直接触れることはない。すなわち、エンボス回避突起１１３３は、カードの非防御領域４０４に圧力をかけながら接触（圧接触）しながらフラップ片１１３を押し上げるため、カードの挿入及び引き抜き時に、フラップ片１１３がカードの非防御領域４０４以外の部分に触れないようにし、エンボス部の摩耗や破損、磁気ストライプ及びICチップの破損を防止する。
【００７０】
また、エンボス回避突起１１３３は、カードと圧接触することから、カードの挿入及び引抜において、カードの上下方向のばたつきを防ぎ、カードのなめらかな挿入及び引抜を可能とする。
【００７１】
＜排水機能について＞
次に、ICカードリーダ収納ケース１の排水機能について説明する。排水機能とは、収納するICカードリーダに水や埃が入らないようにする機能である。
【００７２】
図７に示すように、フラップベース１１１のカード挿入口１１１８の下部の内壁面とフラップ片１１３の排水突起１１３２の先端付近は、密着しておらず、わずかな間隙を設けることにより、排水溝１１１８３を形成している。図８に、図７における領域Ａ１（一点鎖線で囲まれた領域）を拡大表示した例を示す。排水溝１１１８３は、図８に示すように、フラップベース１１１、排水突起１１３２等で構成される溝を示す。
【００７３】
図７では、排水突起１１３２の先端部が、カード挿入口１１１８の下部の内壁面と高さ方向において若干重なるようにし、上下方向に開口する隙間としているため、排水突起１１３２の先端部は、フラップ用リブ１１１５を避けるように、櫛歯状に形成されている。そのため、排水溝１１１８３も、フラップ用リブ１１１５に対応して分割されて構成されている。
【００７４】
フラップ片１１３が、閉口状態のときに、カード挿入口１１１８付近に付着した水滴は、排水溝１１１８３の上部の開口から浸入し内部を通過し下部の開口から、ICカードリーダ収納ケース１内部の下方へ排出される。これにより、カード挿入口１１１８付近に多くの水滴が付着した状態で、カードが挿入されることを防ぐことができる。
【００７５】
また、排水溝１１１８３を通過しない大きさ、形状の埃などが、カード挿入口１１１８の下部に付着していた場合には、カードの挿入により、排水溝１１１８３が拡げられるとともにカードにより押し込まれて、ICカードリーダ収納ケース１内部の下方へ排出される。
【００７６】
図１１（Ａ）は、フラップ部位１１を後方から見た正面図の例を示す図である。図１１（Ｂ）は、フラップ部位１１を右から見た断面図の例を示す図である。図１１（Ａ）及び（Ｂ）の矢印は、フラップ片１１３の排水突起１１３２及び排水溝１１１８３によって、ICカードリーダ収納ケース１の内部に排出された埃や水分の流れの例を示す。
【００７７】
フラップ片１１３の排水突起１１３２及び排水溝１１１８３によって、ICカードリーダ収納ケース１の内部に排出された埃や水分（以下、排出水と呼ぶ場合がある）は、フラップ用リブ１１１５の間を流れ落ちる（矢印Ａ１〜Ａ４）。なお、フラップ用リブ１１１５の間は、例えば、排出水が表面張力で留まらないようにするため、所定距離以上を空けるようにする。すなわち、フラップ用リブ１１１５の間隔（所定距離）は、フラップ用リブ１１１５の形状に基づく水の表面張力に基づいて決定される。
【００７８】
そして、流れ落ちた排出水は、ケーストレイ部位２０の排水室２１２に入り、外部に排出されたり、排水室２１２に蓄積されたりする。
【００７９】
また、排出水がフラップ用リブ１１１５の上面に流れた場合（矢印Ａ５）、排出水はフラップ用リブ１１１５の上面に沿って流れ、フラップ用リブ１１１５の下部の傾斜部分に沿って（矢印Ａ６）、流れ落ちる（矢印Ａ７）。フラップ用リブ１１１５は、図１１（Ｂ）に示すように、長方形又は正方形の一辺（最も後ろに位置する辺）が、後ろから前方向に傾斜を有するおおよそ台形（略台形）である。そして、流れ落ちた排出水は、ケーストレイ部位２０の排水室２１２に入り、そのまま外部に排出されたり、排水室２１２に蓄積されたりする。フラップ用リブ１１１５は、傾斜を有することで、フラップ片１１３が閉口状態又は開口状態に関わらず、フラップ用リブ１１１５（又は排水溝１１１８３）に付着した水分を、下方に排出することができる。
【００８０】
このように、ICカードリーダ収納ケース１は、カード挿入口１１１８に入ってきた埃や水を、排水室２１２まで（もしくは外部に）排出することで、ICカードリーダ３０に埃や水が接触してしまうことを防止する。
【００８１】
なお、排水溝１１１８３は、排水突起１１３２の数と同数、又は排水突起１１３２の数以下の数だけ存在すればよい。図７の排水溝１１１８３の数は、あくまで一例であって、排水溝１１１８３は、排水突起１１３２の数に対応した数だけ存在すればよい。
【００８２】
さらに、フラップ用リブ１１１５の数も、排水突起１１３２や排水溝１１１８３に対応する数だけあればよい。
【００８３】
＜導光機能について＞
次に、ICカードリーダ収納ケース１の導光機能について説明する。導光機能とは、ICカードリーダ３０のインジケーター用LEDの光を、外部に誘導する機能である。
【００８４】
図１２は、導光機能の例を示す図である。図１２は、ICカードリーダ収納ケース１を左から見た断面図の例を示す図である。ICカードリーダ収納ケース１は、ICカードリーダ３０を収納している。なお、図１２の矢印は、光の経路の例を示す。
【００８５】
ICカードリーダ３０は、インジケーター用LED３０５（以下、LED３０５と呼ぶ場合がある）から光を発する。LED３０５から発せられた光は、様々な方向に拡散する。一部の光は、導光板１１１２に直接到達し、導光板１１１２内を直進したり、導光板１１１２の各側面を反射したりし、導光窓１１１１から外部に放出される。
【００８６】
しかし、上述した一部の光以外の光は、LED３０５からの放出角度によっては、導光板１１１２に直接到達しない。そこで、ケースカバー部位１０の裏面（LED３０５の上空）に光を反射する反射板１０１を設置する。すると、導光板１１１２に直接到達はしないが、反射板１０１に到達する光の一部（矢印Ａ２１）は、反射板１０１によって反射され、導光板１１１２に到達する（矢印Ａ２２）。そして、当該光は、導光板１１１２の各側面を反射しながら（矢印Ａ２３〜Ａ２７）導光窓１１１１に到達し（矢印Ａ２８）、導光窓１１１１から外部に放出される。
【００８７】
これにより、導光板に１１１２に直接到達する光だけではなく、直接到達しない一部の光も導光窓１１１１から外部に放出することができ、より明るい光を導光窓１１１１から発することができ、ユーザがLEDの光を確認しやすくなる。
【符号の説明】
【００８８】
１          ：ICカードリーダ収納ケース
１０        ：ケースカバー部位
１１        ：フラップ部位
１２        ：液晶表示確認用窓
１３        ：ケースカバーベース
２０        ：ケーストレイ部位
２１        ：ケーストレイベース
２２        ：ヒーター部位
３０        ：ICカードリーダ
４０        ：ICカード
１０１      ：反射板
１１１      ：フラップベース
１１２      ：ガスケット
１１３      ：フラップ片
１１４      ：板バネ
１１５      ：ねじ
２１１      ：ケースカバー接続穴
２１２      ：排水室
２１３      ：ケーブル穴
３０１      ：テンキー
３０２      ：表示部
３０３      ：カード挿入口
３０４      ：ケーブル
４０１      ：エンボス部
４０２      ：ICチップ部
４０３      ：磁気ストライプ部
４０４      ：非防御領域
１１１１    ：導光窓
１１１２    ：導光板
１１１３    ：フラップ部位止め用ねじ穴
１１１５    ：フラップ用リブ
１１１６    ：板バネ止め用ねじ穴
１１１７    ：ケースカバーベース止め用突起
１１１８    ：カード挿入口
１１１９    ：ガスケット止め用穴
１１２１    ：ケースカバーベース止め用突起穴
１１３１    ：エンボス回避溝
１１３２    ：排水突起
１１３３    ：エンボス回避突起
１１３４    ：回転軸
１１１８１  ：磁気ストライプ回避領域
１１１８２  ：エンボス回避領域
１１１８３  ：排水溝
【図１】
2020160542.tif 000003
【図２】
2020160542.tif 000004
【図３】
2020160542.tif 000005
【図４】
2020160542.tif 000006
【図５】
2020160542.tif 000007
【図６】
2020160542.tif 000008
【図７】
2020160542.tif 000009
【図８】
2020160542.tif 000010
【図９】
2020160542.tif 000011
【図１０】
2020160542.tif 000012
【図１１】
2020160542.tif 000013
【図１２】
2020160542.tif 000014